(57)【要約】【課題】マスク装着者が比較的に大きく口を動かしたときでも、顔面に対するフィット性が維持されることによって装着感が損なわれるおそれのない使い捨てマスクの提供マスク。【解決手段】使い捨てマスク１０の接顔体３０は、周縁部分２２に接合された固定部３１と、固定部３１から内方へ延びる環状の内周壁部３２と、内周壁部３２に囲まれた中央開口３３と、前面２１ａ側に位置するパッド部材４０と、後面２１ｂ側に位置する肌側シート５０とを有する。パッド部材４０と肌側シート５０とは、固定部３１を介してのみ互いに接合されている。【選択図】図２
2020059953.tif 000002
【特許請求の範囲】
【請求項１】
前後方向を有し、カップ状の被覆部と、前記被覆部の周縁部分に接合された接顔体とを有するマスク本体を含む使い捨てマスクにおいて、
前記接顔体は、前記周縁部分に接合された固定部と、前記固定部から内方へ延びる環状の内周壁部と、前記内周壁部に囲まれた中央開口と、前面側に位置するパッド部材と、後面側に位置する肌側シートとを有し、
前記パッド部材と前記肌側シートとは、前記固定部を介してのみ互いに接合されていることを特徴とする前記マスク。
【請求項２】
前記接顔体の前記中央開口は、前記パッド部材の中央に位置する第１開口と、前記第１開口と連通する前記肌側シートの中央に位置する第２開口とから形成されており、前記第１開口の面積は、前記第２開口の面積よりも大きい請求項１に記載のマスク。
【請求項３】
前記肌側シートは、伸縮性を有する請求項１又は２に記載のマスク。
【請求項４】
前記パッド部材は、前記内周壁部の内周縁から前記固定部へ向かって延びる切れ込みを有する請求項１〜３のいずれかに記載のマスク。
【請求項５】
前後方向を有し、カップ状の被覆部と、前記被覆部の周縁部分に接合された接顔体とを有するマスク本体を含む使い捨てマスクにおいて、
前記接顔体は、前記周縁部分に接合された固定部と、前記固定部から内方へ延びる環状の内周壁部と、前記内周壁部に囲まれた中央開口と、前面側に位置するパッド部材と、後面側に位置する肌側シートとを有し、
前記接顔体の前記中央開口は、前記パッド部材の中央に位置する第１開口と、前記第１開口と連通する前記肌側シートの中央に位置する第２開口とから形成されており、前記第１開口の面積は、前記第２開口の面積よりも大きく、
前記パッド部材の内周壁部の後面全体が、前記肌側シートの内周壁部に固定されていることを特徴とするマスク。
【発明の詳細な説明】
【技術分野】
【０００１】
発明は、使い捨てマスクに関する。
【背景技術】
【０００２】
従来、防塵用等に使用される、使い捨てマスクは公知である。例えば、特許文献１には、装着者の口及び鼻を覆うカップ状の被覆部と、被覆部の周縁部分に接合された接顔体（接顔部材）とを有するマスク本体と、マスク本体の両側縁から延出する一対の締紐とを含む使い捨てマスクが開示されている。接顔パッドは、ウレタンフォーム等の弾性材料から形成されている。
【先行技術文献】
【特許文献】
【０００３】
【特許文献１】実開昭６４−２６０４９号公報
【０００４】
特許文献１に開示の使い捨てマスクによれば、装着状態において、弾性変形可能な接顔体が顔面に密接されることから、所要の密封性を発揮するとともに、装着感に優れ、快適に装着することができる。
【０００５】
しかしながら、特許文献１に開示されたマスクにおいては、通常の装着状態においては、接顔体が顔面に密接することで所要の密封性を発揮しうるものの、装着者が大声を出したり、欠伸をして口を大きく開いたときに、接顔体が装着者の口の動きに追従できない場合があり、装着感が損なわれて、装着者に不快感を与えるおそれがあった。
【発明の概要】
【発明が解決しようとする課題】
【０００６】
本発明は、従来の発明の改良であって、マスク装着者が比較的に大きく口を動かしたときでも、顔面に対するフィット性が維持されることによって装着感が損なわれるおそれのない使い捨てマスクの提供を課題としている。
【課題を解決するための手段】
【０００７】
本発明は、前後方向を有し、カップ状の被覆部と、前記被覆部の周縁部分に接合された接顔体とを有するマスク本体を含む使い捨てマスクに関する。
【０００８】
本発明に関する使い捨てマスクは、前記接顔体は、前記周縁部分に接合された固定部と、前記固定部から内方へ延びる環状の内周壁部と、前記内周壁部に囲まれた中央開口と、前面側に位置するパッド部材と、後面側に位置する肌側シートとを有し、前記パッド部材と前記肌側シートとは、前記固定部を介してのみ互いに接合されていることを特徴とする。
【発明の効果】
【０００９】
本発明に係る使い捨てマスクによれば、接顔体が前面側に位置するパッド部材と、後面側に位置する肌側シートとを含み、それらが外周に延びる固定部を介してのみ接合されていることから、装着者が口を大きく開いたときでも、肌側シートがパッド部材と顔面との間の隙間を埋めるように変形して、良好な装着感を保つことができる。
【図面の簡単な説明】
【００１０】
【図１】本願の第１発明に係る使い捨てマスクを前面側から視た斜視図。
【図２】マスクの背面図。
【図３】マスクの装着状態における、図２のIII−III線に沿う断面図。
【図４】装着者が口を大きく開けた状態における、図３と同様の断面図。
【図５】第２実施形態に係る図２と同様のマスクの背面図。
【図６】第２実施形態に係るマスクの図５と同様の断面図。
【図７】第３実施形態に係る図２と同様のマスクの背面図。
【発明を実施するための形態】
【００１１】
＜第１実施形態＞
図１〜図４を参照すると、使い捨てマスク１０は、上下方向Ｙ及び横方向Ｘと、前後方向Ｚとを有し、カップ状の被覆部（フィルター部）２０と、被覆部２０の周縁部分に接合された接顔体３０とを有するマスク本体１１と、マスク本体１１の両側縁から延出する一対の締紐１２とを有する。マスク本体１１は、さらに、横方向Ｘの寸法を２等分する縦断中心線Ｐと、上下方向Ｙの寸法を２等分する横断中心線Ｑとを有する。
【００１２】
被覆部２０は、装着者の顔面の口部及び鼻部を覆うようにカップ状に成形されており、カップの底となる前面２１ａと、装着者の顔面に当接される後面２１ｂと、カップの縁となる周縁部分２２と、前面２１ａと周縁部分２２との間に位置して内部空間を画成する周壁部分２３とを有する。
【００１３】
被覆部２０は、熱可塑性合成繊維を含む繊維不織布、織布、開孔プラスチックフィルム、これらのラミネートシート等の通気性シート材料からなる本体シートから形成されており、装着者の吸気の取り入れと呼気の排出とが可能であって、呼気及び吸気のろ過を可能にするフィルター部として機能する。
【００１４】
接顔体３０は、被覆部２０の周縁部分２２に沿う環状であって、周縁部分２２を１周するシールライン（溶着ライン）１５において周縁部分２２の後面に固定された固定部３１と、固定部３１から内方へ延びる内周壁部３２と、内周壁部３２に囲まれた中央開口３３とを有する。シールライン１５は、接顔体３０の固定部３１と被覆部２０の周縁部分２２とを重ね合わせた状態で、かかる重畳部分を全体又は局所的に加圧・加熱することによって、周縁部分２２に含まれる熱可塑合成繊維を溶融固化して接顔体３０と一体的に接合している。接顔体３０が、熱可塑性合成繊維又は熱可塑性合成樹脂を含む場合には、シールライン１５のシール強度をより高めることができる。このように、被覆部２０と接顔体３０との外周縁部がシールライン１５によってシールされることによって、それらの間から、外気がマスク１０内部に進入するのを抑制することができる。
【００１５】
接顔体３０は、顔面の起伏に沿うような凹凸のある立体形状をなしており、特に、装着者の鼻梁部と接する上端部分３２Ａと、下顎部に接する下端部分３２Ｂとを有する。締紐１２は、被覆部２０と接顔体３０との間に介在された状態でシールライン１５によって固定された、プラスチック製の係止具１３を介してマスク本体１１に連結されている。なお、接顔体３０は、凹凸のある立体形状ではなく、平坦状であって平面的に顔面に当接される形状であってもよい。
【００１６】
接顔体３０は、前面２１ａ側に位置するパッド部材４０と、パッド部材４０の後面２１ｂ側に位置する肌側シート５０とを含む。パッド部材４０は、弾性復元可能な反撥性のある発泡弾性体、たとえば、発泡ウレタン、発泡ポリスチレンや発泡ポリエチレンウレタンフォーム等から形成することができる。一方、肌側シート５０は、パッド部材４０に比して肉薄かつ柔軟であって、好ましくは非通気性であって気密性に優れた、プラスチックフィルム又は繊維不織布から形成することができる。また、肌側シート５０は、好ましくは伸縮性を有し、例えば、ポリウレタン系弾性繊維や熱可塑性エラストマーを原料とする弾性繊維を含む弾性繊維不織布、ウレタンシート、ポリエステルとポリウレタンフィルムとの弾性ラミネートシート等の伸縮性（弾性）シートから形成することができる。
【００１７】
パッド部材４０は、固定部から内方へ環状に延びる内周壁部４２と、中央に位置する、内周壁部４２に囲まれた内側開口（第１開口）４３とを有する。肌側シート５０は、固定部３１から内方へ環状に延びる内周壁部５２と、中央に位置する、内周壁部５２に囲まれた外側開口（第２開口）５３とを有する。接顔体３０の内周壁部３２は、前後方向Ｚにおいて互いに重なり合う、パッド部材４０の内周壁部４２と肌側シート５０の内周壁部５３とから形成されている。接顔体３０の中央開口３３は、パッド部材４０の内側開口４３と肌側シート５０の外側開口５３とが連通して形成されており、その開口縁３３ａは、肌側シート５０の外側開口５３の開口縁５３ａによって画成されている。
【００１８】
パッド部材４０と肌側シート５０とは、前後方向Ｚにおいて互いに重なるように配置されていて、固定部３１を介してのみ接合されており、固定部３１から内方へ延びる内周壁部４２、５２は互いに接合されていない。したがって、パッド部材４０の内周壁部４２と肌側シート５０の内周壁部５２とは互いに分離されており、互いに干渉されることなく、自由に屈曲、変形させることができる。接顔体３０は、かかる構成を有することから、例えば、発泡弾性体層（内層）と、発泡弾性体層の後面全体に接着剤を介して接合された繊維不織布層（外層）との２層構造を有する従来の接顔体とは、その基本的構造が相違する。
【００１９】
パッド部材４０の内側開口４３の面積は、肌側シート５０の外側開口５３の面積よりも大きくなっている。具体的には、図２を参照すると、内側開口４３の開口縁４３ａは、外側開口５３の略円形状を有する開口縁５３ａの径方向の外方に位置している。内側開口４３の開口縁４３ａは、上方へ凸となる上方部位と下方へ凸となる下方部位とを有する。外側開口５３の開口縁５３ａは、開口縁４３ａよりも先鋭状に上方へ凸となる上方部位と横方向Ｘへわずかに湾曲して延びる下方部位とを有する。内側開口４３の開口縁４３ａと外側開口５３の開口縁５３ａとがかかる形状を有することによって、開口縁４３ａと開口縁５３ａとは互いに上方部位において最も接近し、下方部位において最も離間している。
【００２０】
肌側シート５０は、パッド部材４０の内側開口４３から径方向の内側へ延出して環状に延びる内側延出部５７を有し、内側延出部５７のうちの下方部分５７Ｂの面積は、上方部分５７Ａの面積よりも大きくなっており、また、下方部分５７Ｂの縦断中心線Ｐ上における上下方向Ｙの寸法Ｗ２は、上方部分５７Ａの縦断中心線Ｐ上における上下方向の寸法Ｗ１よりも大きくなっている。
【００２１】
図３を参照すると、通常のマスク１０の装着状態において、接顔体３０が顔面に密接されて高いシール性が発揮されており、マスク１０内部への外気の進入が遮断されている。具体的には、反撥性を有するパッド部材４０の外面側に固定部３１を介してのみ接合された肌側シート５０が配置されていることから、装着状態において、顔面の起伏のある形状に沿うようにパッド部材４０が弾性変形するとともに、肌側シート５０が顔面に密接される。
【００２２】
図４は、装着者が、大きな声で会話したり、大きく欠伸したりなどをして口３を比較的に大きく開いた状態における、マスク１０の様子を示している。反撥性材料のみからなる接顔体を備えた従来のマスクであっても、接顔体が顔面の起伏形状に沿って変形した状態でフィットされるので、高いシール性が発揮されて粉塵等がマスク内部に侵入するのを効果的に抑制しうる。したがって、通常の装着状態であればかかる従来のマスクであっても十分に内部の気密性を保つことができるが、突発的に、装着者が大きな声で会話したり、大きく欠伸をする等した場合には、接顔体が顔面（特に、下顎部）の急な動きに追従することができずに、接顔体と顔面との間に僅かな隙間が形成されて、装着感が損なわれて、装着者に不快感を与えるおそれがある。
【００２３】
本実施形態にかかるマスク１０においては、反撥性を有するパッド部材４０の内面側に固定部３１を介してのみ接合された肌側シート５０が配置されていることから、装着状態において、顔面の起伏のある形状に沿うようにパッド部材４０が弾性変形して肌側シート５０が顔面に密接されるのに加えて、突発的に装着者が比較的に大きく口４を開き、接顔体３０が下顎部５の急な動きに追従することができなかった場合でも、接顔体３０と下顎部５との間を埋めるように肉薄の肌側シート５０が変形して入り込み、それらの間に僅かでも隙間が形成されるのを抑制することができる。図４を参照すると、装着者の下顎部５の下方への移動に合わせて、肌側シート５０が一部折れ曲がりながら変形することによって、パッド部材４０と下顎部５との間に隙間が形成されるのを効果的に抑制している。
【００２４】
また、パッド部材４０の内側開口４３の面積は、肌側シート５０の外側開口５３の面積よりも大きいことから、肌側シート５０の内周壁部５２は、内側口４３の開口縁４３ａよりも径方向の内側に延出する内側延出部５７を有する。したがって、マスク１０を装着したときに、肌側シート５０の前方に位置するパッド部材４０の内周壁部５３よりもさらに前方に内側延出部５７が位置し、かつ、柔軟に変形してパッド部材４０と顔面との間に入り込むような状態で顔面にフィットされる。
【００２５】
かかる装着状態では、接顔体３０が、その径方向の外側において反撥性を有するパッド部材４０によって安定的かつ面状に顔面にフィットされることから、マスク本体１１が外部から衝撃を受けても顔面から大きく位置ずれするのを抑制することができる。加えて、接顔体３０の径方向の内側では、比較的に肉薄でかつ可撓性の高い肌側シート５０がパッド部材４０と顔面との間に入り込むように変形した状態で、いわばライン状に顔面にフィットされるので、装着者が口４を大きく開いたときでも下顎部５の動きに対して高い追従性を発揮して、接顔体３０と顔面との間に隙間が形成されるのを抑制することができる。
【００２６】
肌側シート５０が伸縮性を有する場合には、顔面の凹凸のある起伏形状に沿ってより変形しやすくなるとともに、装着者が口４を大きく開いたときでもその動きに追従して伸長し、より高いフィット性を発揮しうる。
【００２７】
また、肌側シート５０の内側延出部５７において、下方部分５７Ｂの面積及び上下方向Ｙの寸法が、それぞれ、上方部分５７Ａの面積及び上下方向Ｙの寸法よりも大きくなっている。装着者の顔面のうちで最も動きのある下顎部５や口許近傍と当接される下方部分５７Ｂを上方部分５７Ａに比して大きく形成することによって、その動きに合わせて肌側シート５０を十分に変形させることができるとともに、動きのない鼻梁部と当接される上方部分５７Ａを比較的に小さく形成することで、資材の無駄を省くことができる。
【００２８】
＜第２実施形態＞
図５は、本発明の第２実施形態に係るマスク１０の図２と同様の背面図、図６は、第２実施形態に係るマスク１０の装着状態を示す、図４と同様の断面図である。第２実施形態に係るマスク１０の基本的構成は第１実施形態に係るマスク１０とすべて同じであって、以降において説明する、第１実施形態に係るマスク１０と相違する構成以外は、すべて第１実施形態に係るマスク１０の構成を採用することを理解されたい。
【００２９】
図５を参照すると、本実施形態においては、接顔体３０に複数の切欠７０，７１が配置されている。具体的には、接顔体３０のうちのパッド部材４０にのみ切欠７０，７１が配置されており、肌側シート５０には、切欠７０，７１は配置されていない。切欠７０，７１は、縦断中心線Ｐに関して対称に位置しており、それぞれ、下方の締紐１２を係止する係止具と対向している。切欠７０，７１は、内側開口４３の開口縁４３ａから斜め下方へ延びていて、開口縁４３ａ側に位置する基端から固定部３１側に位置する先端へ向かって次第に幅狭となるテーパ状を有している。
【００３０】
図６を参照すると、本実施形態に係るマスク１０の装着状態においては、装着者が会話等によって口４を大きく開いたときに、パッド部材４０の切欠７０，７１が拡げられて、切欠７０、７１の下方に位置する部分が下顎部５の動きに追従するように変形する。それによって、柔軟な肌側シート５０とともにパッド部材４０を装着者の下顎部近傍にフィットさせた状態を維持し、第１実施形態に比べてより高いシール性を発揮することができる。また、肌側シート５０にも切欠を形成した場合にはそこから外部の有毒ガスや粉塵等が内部に入り込むおそれがあるが、接顔体３０のうちのパッド部材４０にのみ切欠７０，７１を設けて肌側シート５０によってそれらを被覆することで、切欠７０，７１によって接顔体３０のシール性が低下するおそれはない。
【００３１】
切欠７０，７１は、パッド部材４０の幅方向Ｘの両側に一対のみ配置されているが、このように横方向Ｘにおいて対向する一対の切欠が、上下方向Ｙにおいて間隔を空けて並ぶように複数配置されていてもよい。
【００３２】
＜第３実施形態＞
図７は、本発明の第３実施形態に係るマスク１０の図２と同様の背面図である。第３実施形態に係るマスク１０の基本的構成は第１実施形態に係るマスク１０とすべて同じであって、以降において説明する、第１実施形態に係るマスク１０と相違する構成以外は、すべて第１実施形態に係るマスク１０の構成を採用することを理解されたい。
【００３３】
本実施形態に係る使い捨てマスク１０においては、パッド部材４０の内周壁部４２の後面全体が接合域８０を介して肌側シート５０の前面に接合されている。図示例では、接合域８０は、接着剤をスプレーによってドット状に塗布することによって形成されているが、接着剤をスパイラル状、直線状等の各種公知のパターンで塗布したり、又は、超音波溶着や熱溶着等の公知の溶着手段を施して形成することができる。このように、接顔体３０のパッド部材４０の内周壁部４２の後面全体が固定されている場合であっても、マスク１０は、内周壁部４２の第１開口４３からさらに径方向の内側に延在し、かつ、環状に延びる肌側シート５０の内周壁部５２の内側延出部５７を有することによって、装着者が比較的に大きく口４を開いても、適度なフィット性を発揮し、装着感が損なわれることはない。
【００３４】
本発明に係る使い捨てマスク１０を構成する各構成部材には、本発明の技術的効果を奏する限りにおいて、明細書に記載されている材料のほかに、この種の分野において通常用いられている各種公知の材料を制限なく用いることができる。また、明細書及び特許請求の範囲において、「第１」、「第２」等の用語は、同様の要素、位置等を単に区別するために用いられる。
【００３５】
以上に記載した発明に関する開示は、以下の事項に整理することができる。
【００３６】
前後方向を有し、カップ状の被覆部と、前記被覆部の周縁部分に接合された接顔体とを有するマスク本体を含む使い捨てマスクにおいて、前記接顔体は、前記周縁部分に接合された固定部と、前記固定部から内方へ延びる環状の内周壁部と、前記内周壁部に囲まれた中央開口と、前面側に位置するパッド部材と、後面側に位置する肌側シートとを有し、前記パッド部材と前記肌側シートとは、前記固定部を介してのみ互いに接合されていることを特徴とする前記マスク。
【００３７】
前後方向を有し、カップ状の被覆部と、前記被覆部の周縁部分に接合された接顔体とを有するマスク本体を含む使い捨てマスクにおいて、前記接顔体は、前記周縁部分に接合された固定部と、前記固定部から内方へ延びる環状の内周壁部と、前記内周壁部に囲まれた中央開口と、前面側に位置するパッド部材と、後面側に位置する肌側シートとを有し、前記接顔体の前記中央開口は、前記パッド部材の中央に位置する第１開口と、前記第１開口と連通する前記肌側シートの中央に位置する第２開口とから形成されており、前記第１開口の面積は、前記第２開口の面積よりも大きく、前記パッド部材の内周壁部の後面全体が、前記肌側シートの内周壁部に固定されていることを特徴とするマスク。
【００３８】
上記段落００３６に開示の本発明は、少なくとも下記の実施の形態を含むことができる。該実施の形態は、分離して又は互いに組み合わせて採択することができる。
（１）前記接顔体の前記中央開口は、前記パッド部材の中央に位置する第１開口と、前記第１開口と連通する前記肌側シートの中央に位置する第２開口とから形成されており、前記第１開口の面積は、前記第２開口の面積よりも大きい。
（２）前記肌側シートは、伸縮性を有する。
（３）前記パッド部材は、前記内周壁部の内周縁から前記固定部へ向かって延びる切れ込みを有する。
【符号の説明】
【００３９】
４  口
５  下顎部
１０  使い捨てマスク
２０  被覆部
３０  接顔体
３１  固定部
３２  内周壁部
３３  中央開口
４０  パッド部材
４３  第１開口（内側開口）
５０  肌側シート
５３  第２開口（外側開口）
Ｚ    前後方向
【図１】
2020059953.tif 000003
【図２】
2020059953.tif 000004
【図３】
2020059953.tif 000005
【図４】
2020059953.tif 000006
【図５】
2020059953.tif 000007
【図６】
2020059953.tif 000008
【図７】
2020059953.tif 000009